(57)【要約】本発明は、改善された取り扱いを支援し、及びとりわけ付加的な情報源を備えることにより記録担体（１）上に保存された情報への改善されたアクセス制御を支援する、ＣＤ−ＲＷ＋又はＤＶＤのような記録担体（１）に関する。記録担体（１）は、第１の種類の情報を保存するための第１のエリアを持つ。記録担体（１）は更に、それぞれが記録担体（１）を読み取る及び／又は記録担体（１）に書き込むための装置への結合素子を有するように構成された複数の第２のエリア（４．１乃至４．８）を持つ。記録担体（１）上の前記結合素子の分布は、例えば記録担体（１）が有効である地理的な領域を示す地域コードのような、第３の種類の情報をエンコードする。第２の種類の情報を保存する記憶媒体は結合素子を備えても良く、結合素子及び記憶媒体は１つのチップに組み込まれても良い。前記結合素子を記録担体（１）から着脱可能とすることは、完成された記録担体（１）上の前記第３の種類の情報を修正する容易な方法をもたらす。
2006501589.tif 000002
【特許請求の範囲】
【請求項１】
第１の種類の情報を保存するための第１のエリアを持つ記録担体であって、それぞれが前記記録担体を読み取る及び／又は前記記録担体に書き込むための装置への結合素子を有するように構成された複数の第２のエリアを更に持つ記録担体において、前記記録担体上の前記結合素子の分布が第３の種類の情報をエンコードする記録担体。
【請求項２】
前記記録担体上の前記結合素子の分布が、
前記記録担体が有効である地理的な領域を示す地域コード、及び／又は
どの規格に前記記録担体が準拠しているか、及び／又は
前記記録担体を読み取る及び／又は前記記録担体に書き込むための装置へ前記記録担体が挿入された向き、
をエンコードすることを特徴とする、請求項１に記載の記録担体。
【請求項３】
前記第２のエリアの少なくとも１つが、結合素子を該第２のエリアから取り外す及び／又は該第２のエリアに取り付けるように構成されることを特徴とする、請求項１に記載の記録担体。
【請求項４】
前記第２のエリアの少なくとも１つが、第２の種類の情報を保存するための記憶媒体を有するように構成され、前記第２のエリアの前記結合素子が、前記記録担体を読み取る及び／又は前記記録担体に書き込むための装置に前記記憶媒体を結合するように働くことを特徴とする、請求項１に記載の記録担体。
【請求項５】
前記第２のエリアが、前記記憶媒体と該第２のエリアの前記結合素子とを組み込むチップを有するように構成されることを特徴とする、請求項４に記載の記録担体。
【請求項６】
請求項１に記載の記録担体の前記第２のエリアに取り付けられるように構成される結合素子。
【請求項７】
請求項６に記載の結合素子を備えた、とりわけプラスチック薄膜である担体装置。
【請求項８】
請求項１に記載の記録担体を読み取る及び／又は前記記録担体に書き込むための装置であって、前記記録担体上の前記結合素子の分布を感知するように構成される装置。
【請求項９】
前記第１のエリアにアクセスし、並行して前記記録担体上の前記結合素子の分布を感知するように構成されることを特徴とする、請求項８に記載の装置。
【請求項１０】
前記記録担体上の前記結合素子の分布にエンコードされた第３の種類の情報をデコードするように構成されることを特徴とする、請求項８に記載の装置。
【請求項１１】
情報を取り扱うシステムであって、とりわけ情報へのアクセス制御を支援するシステムにおいて、請求項８に記載の装置と前記情報を担持する請求項１に記載の記録担体とを有するシステム。
【請求項１２】
請求項１に記載の記録担体を取り扱う方法であって、とりわけ前記記録担体を読み取る及び／又は前記記録担体に書き込む方法において、
前記第３の種類の情報を感知しデコードするステップと、
前記第３の種類の情報に依存して前記記録担体を取り扱う、とりわけ前記第３の種類の情報に依存して前記第１の種類の情報の全体又は一部を読み取る及び／又は書き込むステップと、
を有する方法。
【発明の詳細な説明】
【技術分野】
【０００１】
本発明は記録担体に関し、より詳細には、アクセス制御されとりわけコピー保護された情報を保存する記録担体に関する。かような記録担体の例は、主にオーディオＣＤ、ＣＤ−ＲＯＭ、ＣＤ−Ｒ、ＣＤ−ＲＷ、ＤＶＤ等であるが、本発明は例えば磁気テープ、ディスケット及びハードディスクのような他の記録担体にも同様に適用可能である。
【背景技術】
【０００２】
ＣＤ又はＤＶＤのような記録担体は、今日では例えば娯楽目的のオーディオ及びビデオコンテンツを配布するために、並びにソフトウェア及びコンピュータゲームを供給するために利用される大量生産される製品である。更に、ＣＤ−Ｒ及びＣＤ−ＲＷ＋のような、これらの媒体の特定の種類は、例えばＣＤバーナを利用することにより、一度又は幾度か記録可能である。これら媒体はそれ故、短期間のバックアップ及び長期間の保管の目的にも利用可能である。更に、これらの装置の増大している記憶容量は、これら媒体の適用可能性を更に拡大させている。
【０００３】
一方、これらの扱い易く耐久性のある記録可能な媒体の存在は、メディアコンテンツのディジタル表現と共に、著作権により保護されたＣＤの１対１のコピーを行う容易な方法を切り開いた。このことは今日、コンテンツ業界にとって大きな商業的な問題を引き起こしている。このコピー保護問題の他に、これらの記録担体の大きな記憶容量は、該記録担体に保存されている情報へのアクセスを支援する方法、及び該情報の好適にパーソナライズされた提示を必要としている。
【０００４】
それに応じて、これらの目的のための幾つかの方法が先端技術において提案されてきた。これらの方法は、記録担体のコンテンツの暗号化及び復号化情報の容易なコピーの防止から、記録担体及び対応する該記録担体のための読み取り及び／又は書き込み装置におけるアクセス制御及びパーソナライズ構造までに渡る。なかでも例えば、パスワード保護を利用すること、それぞれが自身のアクセス権を所有する異なる部分に記録担体を構造化すること、及び偽の媒体の識別子の取り消しリストと共に記録担体についてのユニークな識別子を利用することが提案された。これにより、アクセス制御及び／又はパーソナライズ自体が、前記記録担体上の構造によって、前記記録担体用の読み取り及び／又は書き込み装置によって、又はこれらの両方の間の協働によって実行され得る。
【０００５】
米国特許US6,044,046Aは、記録担体についてのアクセス制御及び／又はパーソナライズ構造を担持する装置として、該記録担体内に物理的に組み込まれたチップを利用することを提案している。このことは、例えば従来のＣＤと下位互換性を可能とし、組み込まれたチップを持つ記録担体を記録担体自体と同じくらい取り扱いが容易なものとする。更に米国特許US6,044,046Aは、前記チップの、及び組み込まれたチップを持つ記録担体を読み取る及び／又は該記録担体に書き込むための対応する装置の通信インタフェースを開示している。とりわけ、前記読み取り及び／又は書き込み装置が、前記記録担体と前記組み込まれたチップとへ同時にアクセスすることを可能とするための方法が記載されている。これらの及び関連する事項の完全な記載については、米国特許US6,044,046Aの内容はここで参照により本明細書に組み込まれたものとする。
【０００６】
米国特許US6,044,046Aはまた、前記読み取り及び／又は書き込み装置において前記記録担体の円滑な動作を可能とするため、前記チップと前記読み取り及び／又は書き込み装置との間の十分に高いデータ転送レートを確立する必要性も言及している。例えば光路が前記チップと前記読み取り及び／又は書き込み装置との間の通信のために利用される場合、当該光路におけるデータビットは、前記記録担体上のそれぞれの結合素子（coupling element）が対応する読み取り器／書き込み器の素子の視界にあるときにのみ流れることができる。それ故、十分に高いデータレートを実現するために、米国特許US6,044,046Aは、例えば前記読み取り器／書き込み器の素子の連続的な視界にある円形の結合素子のような、前記記録担体上の大型の結合素子を利用すること、及び／又は前記読み取り器／書き込み器の素子によって見える前記記録担体のエリアに渡って分布させられた複数の結合素子を利用することを提案している。前記結合素子を大型化すること又は複数の結合素子を利用することの代わりに、米国特許6,044,046Aはまた、送信器及び／又は受信器として動作する、適切な大型の又は複数の補助の素子に結合される、単一の小型の結合素子の可能性も予見している。
【発明の開示】
【発明が解決しようとする課題】
【０００７】
米国特許6,044,046Aの組み込まれたチップの概念は、記録担体のアクセス制御及び情報のパーソナライズに対する非常に柔軟な方法を提供する。しかし、かようなチップ及び該チップの結合素子及び／又は補助素子の構造並びにこれらの関連は既に幾分複雑であり、例えばどの地理的な領域において記録担体が有効であるかをエンコードする地域コードのような、少量の情報を保存するためにはコストが掛かりすぎるものとして考えられ得る。更に、例えば新たなアクセス権を取得した後に、前記記録担体を完成させた後にアクセス制御情報を変更することは、前記チップの再プログラミングを必要とする。しかし、ユーザが該ユーザの家で前記チップ上のアクセス権を再プログラミングすることを可能とすることは、前記記録担体のコピー保護を危うくし得る。
【０００８】
それ故本発明の目的は、少量から中程度の量の取り扱い情報及びとりわけ記録担体用のアクセス制御情報をエンコードする単純で柔軟な方法を提供する、記録担体及び該記録担体を読み取る及び／又は該記録担体に書き込む対応する装置を提供することにある。本発明の別の目的は、前記記録担体の製造の後に、当該情報を追加、削除及び／又は変更する単純な方法を可能とすることにある。
【課題を解決するための手段】
【０００９】
これらの目的は、第１の種類の情報を保存するための第１のエリアを持つ記録担体であって、それぞれが前記記録担体を読み取る及び／又は前記記録担体に書き込むための装置への結合素子を有するように構成された複数の第２のエリアを更に持つ記録担体において、前記記録担体上の前記結合素子の分布が第３の種類の情報をエンコードする記録担体によって、及びかような記録担体を読み取る及び／又は前記記録担体に書き込むための装置であって、前記記録担体上の前記結合素子の分布を感知するように構成される装置によって達成される。
【００１０】
合わせて、前記記録担体及び前記記録担体を読み取る及び／又は前記記録担体に書き込むための装置は、本発明によって情報を取り扱う装置、及びとりわけ情報へのアクセス制御を支援するためのシステムを形成する。更に本発明は、本発明に係る記録担体を取り扱う方法、及びとりわけかような記録担体を読み取る及び／又はかような記録担体に書き込むための方法を提供する。本方法は、前記第３の種類の情報を感知しデコードするステップと、前記第３の種類の情報に依存して前記記録担体を取り扱う、とりわけ前記第３の種類の情報に依存して前記第１の種類の情報の全体又は一部を読み取る及び／又は書き込むステップとを有する。
【００１１】
前記結合素子の分布により記録担体の取り扱い情報をエンコードすること、及び結合素子が例えば数巻だけの誘導コイルのような非常に単純な回路によって実施化され得ることを維持することは、単純で安価な実施化という目的を達成する。十分に多くの結合素子を利用すること、及びエンコードのために該結合素子の前記記録担体上における相対的な径方向及び角方向の位置を利用することは、少量の及び中程度の量の取り扱い情報のために十分な容量を提供する。かような情報は、例えば前記記録担体が有効である地理的な領域を決定する地域コード、前記記録担体が準拠する規格についてのエンコード、及び読み取り器／書き込み器に前記記録担体が挿入された後にどちらの側面が上であるかの示唆を有しても良い。
【００１２】
地域コードは例えば、例えばＤＶＤは米国においてのみ発売され得たため、欧州の市場で販売された読み取り器はかようなＤＶＤを再生すべきではない、といったように、記録担体の利用を特定の地域にのみに制限するために利用され、このことは前記読み取り器にＤＶＤの地域コードをチェックさせることにより実現される。一般に、読み取り器／書き込み器は、前記記録担体へのアクセスを制御し対応する情報をユーザに表示するために、例えばユーザが前記記録担体を逆さまに挿入した、又はこの記録担体は当該読み取り器／書き込み器によってサポートされている規格に準拠していない、といった前記取り扱い情報を利用する。勿論、前記結合素子の分布によってエンコードされた前記第３の種類の情報は取り扱い情報である必要はなく、他のいずれの情報であっても良い。
【００１３】
既に言及したように、前記結合素子は非常に単純であっても良く、前記結合素子の最小限の要件は単に前記読み取り器／書き込み器に対して該結合素子の存在を示すことが可能であるというものであっても良い。従って例えば、前記結合が電磁気的なものである場合、結合素子は単に例えば螺旋状のパターンの数巻の電線のような誘導コイルであっても良く、前記結合が光学的なものである場合、前記結合素子は単に周囲の担体物質と異なる反射率を持つ何らかの物質から成っても良い。従って、結合素子という語は、米国特許US6,044,046Aにおける利用と比べると、ここでは最も一般的な意味で利用され、本文献の結合素子のみならず、本文献において言及された補助の素子をも包含する。
【００１４】
最も単純な形態においては、前記結合素子を相互接続する必要はない。しかしながら勿論、前記結合素子は、例えば前記記録担体の第１のエリアに前記第１の種類の情報として暗号化された形態で保存されている典型的には曲及び／又はビデオ及び／又はコンピュータゲームであるペイロードデータ用の復号化情報のような第２の種類の情報を保存する記憶媒体のような、より強力な他の構成要素と相互接続されても良い。更に、結合素子及び記憶媒体は、１つのチップレンダリングに組み込まれても良いし、又は米国特許US6,044,046Aにおけるように、１つのチップが複数の結合素子と接続されても良い。最後の実施例においては、前記第３の種類の情報をエンコードするために意図的な方法で前記結合素子を分布させる付加的な特徴を持つ米国特許US6,044,046Aの方法に到達し、これにより、付加的な素子を用いる必要なく、付加的な情報源を供給する利点を得る。
【００１５】
前記結合素子を前記第２のエリアから着脱可能とすることは、かような素子を追加、除去、交換する単純な方法を提供し、かくして分布のパターンを単に「機構的な」方法で変更する。このため、前記結合素子は、例えばステッカのように前記記録担体の対応して準備された位置に単に接着されたプラスチックの薄膜上にそれぞれ製造されても良い。又は、前記結合素子が筐体中に備えられる場合には、該筐体は第２のエリアに刻み付けられた対応するピットにはめ合わされ、該筐体は何らかのバネ機構によって固定されても良い。前記結合素子は、前記記録担体とは別個に取り引きされても良く、チップの場合には、例えばかようなチップの偽造に対するセキュリティの付加的なレベルをもたらし得る、専門店においてのみ利用可能な機器を利用してプログラミング又は再プログラミングされても良い。従って本発明はまた、かような結合素子に関し、より詳細には、本発明に係る記録担体に装着可能なように構成されたチップに関する。
【００１６】
同様にして、本発明はまた、複数の第２のエリアがいずれの結合素子又はチップも欠いているが、かような結合素子を取り付けられるように構成又は準備された記録担体をも包含する。かような構成は、例えば、ことによると何らかのバネ機構により支援された前記第２のエリアに刻み付けられたピットに存するが、前記記録担体上の前記第２のエリアのマーキングにも同様に存し、結合素子はステッカのように第２のエリアのマーキングに単に接着されたプラスチックの薄膜上に製造される。本発明に係る記録担体の前記第２のエリアへの結合素子のかような取り付けは、例えば単一の部品として前記記録担体の第２のエリアに取り付けられたプラスチック薄膜のように、幾つかの結合素子を単一の担体に配置することにより、ユーザにとって更に単純化され得る。従って、本発明はまた、結合素子用のかような担体装置にも関する。
【００１７】
本発明に係る記録担体及び該記録担体の読み取り及び／又は書き込み装置を、前記記録担体上の結合素子の分布の感知と並行して、前記記録担体の第１のエリアが読み取られる及び／又は書き込まれるように実施化することは、前記読み取り及び／又は書込み装置が２つのエリア上にエンコードされたデータを互いから独立して取り扱うことができる、即ち２つのデータストリームが互いを妨害することなく処理されることができるという利点を提供する。このことは例えば、規則的な又は不規則な時間間隔で、前記記録担体の信憑性及び保全性を継続的にチェックする可能性を提供し、かくして前記記録担体へのアクセス制御を向上させる。例えば、前記結合素子の分布が地域コードを規定すると仮定する。前記読み取り器／書き込み器が、前記記録担体が挿入されたときの１回のみ当該地域コードを確認する場合、ハッカーは専用のハッキングされた機器を利用して偽の地域コードをこのとき供給することにより前記装置を騙し得る。この種の攻撃は、前記読み取り及び／又は書き込み装置が、例えば不規則な時間間隔で、何度か前記地域コードを確認する場合には、より複雑になる。
【００１８】
読み取り器／書き込み器は、前記結合素子の分布の感知及び前記分布の意味のデコードを実行し得るが、これらのタスクは幾つかの装置の間で分散させられるのが良い。例えばパーソナルコンピュータの周辺機器として利用される単純な読み取り器／書き込み器が前記感知のみを実行してＰＣへ分布情報を転送し、該ＰＣにおいてアプリケーションプログラムがデコードのタスクを担当しても良い。
【００１９】
勿論、当業者には明らかなように、より改善された本発明に係る記録担体の取り扱いを得るために、上述の方法を組み合わせても良い。例えば、記憶媒体を持つ結合素子と共にプロセッサを組み込んだ取り外し可能なチップを有利に利用しても良い。これらのチップはこのとき、別個の装置として取り引きされても良く、また専門店においてプログラミング又は再プログラミングされても良い。
【００２０】
本発明のこれらの及び更なる態様は、実施例によって及びとりわけ添付された図の記載によって更に説明される。
【発明を実施するための最良の形態】
【００２１】
図１は、ディスクの形をとる本発明に係る記録担体１、及び本発明に係る読み取り器／書き込み器の読み取り／書き込みヘッド１０を図示する。記録担体１は、中央開口２及びトラック３を持つ。トラック３は、螺旋状又は同心円状のパターンで配置され、例えば曲及び／又はビデオ及び／又はコンピュータゲーム又はユーザの個人情報のような、ペイロードデータといった、第１の種類の情報を保存するための第１のエリアを有する。例えばアクセス制御及び／又はパーソナライズ情報といった、第２の種類の情報を保存するための２つの第２のエリア４．１及び４．２もまた、記録担体１上に存在する。第２のエリア４．１及び４．２は、記憶媒体とそれぞれ結合素子５．１又は５．２とを組み込んだチップを有する。結合素子５．１又は５．２は、例えば誘導コイル又はＬＥＤ及びフォトダイオードであり、記録担体１を読み取る及び／又は記録担体１に書き込むために装置の対応する読み取り／書き込みヘッド１０と通信する。記録担体１の概略の構造及び該記録担体を読み取る及び／又は該記録担体に書き込むための装置との該記録担体の通信手段についての更なる詳細については、また米国特許US6,044046Aを参照されたい。
【００２２】
記録担体１上の結合素子５．１及び５．２の分布は、中央開口２からの径方向の距離、即ち線６．１及び６．２の長さによって、及びこれら２つの線６．１及び６．２の間の角７によって与えられる。この情報は例えば、記録担体１が前記読み取り器／書き込み器に挿入されたときに、記録担体１の向きを示すために十分である。
【００２３】
図２は、図には示されていない結合素子を備えた、本発明に係る記録担体１上の６つの第２のエリア４．３乃至４．８の分布、及び本発明に係る読み取り器／書き込み器の読み取り／書き込みヘッド１０を図示する。第２のエリア４．３乃至４．８は、記録担体１の中央開口２に中心を合わせられた２つの同心円２０及び２１上に配置される。即ち、第２のエリア４．３、４．４及び４．５は内側の円２０上に存し、第２のエリア４．６、４．７及び４．８は外側の円２１上に存する。円２０又は２１上の位置の他に、前記記録担体上の第２のエリア４．３乃至４．８の角位置が、第２のエリア４．３乃至４．８と中央開口２との接続線によって形成される６つの角３１乃至３６によって与えられる。
【００２４】
前記記録担体の回転の間、前記読み取り器／書き込み器の読み取り／書き込みヘッド１０は、第２のエリア４．３乃至４．８の相対位置、即ちこれらエリアの円２０又は２１上の位置及びこれらエリアの角位置３１乃至３６を感知する。前記円上の位置を感知するため、読み取り／書き込みヘッド１０は例えば、方向に依存するように構成されても良い。例えば第２のエリア４．３と４．４との間の角３１のような、２つの連続する第２のエリア間の角を感知するため、前記ディスクが時計回りに回転する場合、前記読み取り器／書き込み器は、エリア４．３の「観測」とエリア４．４の「観測」との間の時間、即ちエリア４．３又は４．４と接触している時間間隔の中間点間のタイムスパンを計測しても良い。勿論、典型的に前記記録担体の回転速度は時間と共に変化するため、これらの絶対的なタイムスパンは１回転の間隔に関連付けられる必要がある。回転が終了したことを検出することは、例えば１つの第２のエリアに、該エリアが識別されることを可能とするコードを与えることにより、又は前記第２のエリアの分布の周期的な再出現を検出することにより実行されることができる（分布パターンが１回転内のいずれの周期性をも回避している場合）。
【００２５】
かくして、読み取り／書き込みヘッド１０は、前記第２のエリアの分布パターンを感知することが可能である。該分布パターンは、例えばどの地理的な領域において前記記録担体が有効かを示す地域コード、及び／又はどの規格に前記記録担体が準拠しているか、及び／又は前記記録担体が上下逆に挿入されたか否か、といった第３の種類の情報をエンコードする。前記記録担体が挿入された向きを検出するこの最後のタスクはまた、例えば互いから１８０°とは異なる角で円上にある２つの第２のエリアを利用し、そのうちの１つに識別コードを備えた記憶媒体を備えることにより、又は互いに等しくない角の円上の３つの第２のエリアを利用することにより、実行されることができる。
【００２６】
第３の種類の情報をエンコードするために、第２のエリアの異なる径方向の位置を利用する代わりに、即ち円２０又は２１上の第２のエリアの位置を利用する代わりに、かような位置はまた異なる径方向の位置に読み取り／書き込みヘッドを持つ異なる種類の読み取り器／書き込み器をサポートするためにも利用され得る。この場合、角分布３１乃至３６のみが、前記第３の種類の情報をエンコードするために利用される。
【００２７】
記録担体と読み取り器／書き込み器との間の通信において複数の第２のエリアをアドレス指定するために、前記読み取り器／書き込み器への各通信の開始において前記第２のエリアによって通信される、前記第２のエリア用の明示的なアドレスが利用されても良い。勿論、かようなコードの利用は、前記第２のエリアがそれぞれ前記コード用の記憶媒体を有することを必要とする。代替としては、上述したように、非周期的なパターンの利用が当該要求を回避する。前記記録担体の１回転の後（又は上述の周期性認識が利用される場合には数回転の後）、前記読み取り器／書き込み器は前記第２のエリアの連続を知る。遅くともこの時点において、明示的なアドレスの送信を必要とする代わりに、前記読み取り器／書き込み器は単に前記第２のエリアの連続によって、前記第２のエリアを識別し得る。
【図面の簡単な説明】
【００２８】
【図１】本発明に係る記録担体及び本発明に係る読み取り器／書き込み器の読み取り／書き込みヘッドを図示する。
【図２】本発明に係る記録担体における２つの円上の第２のエリアの分布及び本発明に係る読み取り器／書き込み器のヘッドを示す。
【図１】
2006501589.tif 000003
【図２】
2006501589.tif 000004
【国際調査報告】
2006501589.tif 000005
2006501589.tif 000006
2006501589.tif 000007
2006501589.tif 000008